(57)【要約】【課題】裾部分の構造工夫により、裾の捲り上げ操作、及び元に戻す操作が簡単で便利に行え、しかも捲り上げた状態を確実に維持可能となるよう、改良されたズボンを提供する。【解決手段】ウェスト部とこれの下方に続く一対の脚通し部２とから成るズボンにおいて、脚通し部２の裾４ａ近傍の内側に、縮径自在な環状部５を下部に有した脚通し自在なインナ裾部６を吊設し、捲り上げられた脚通し部２の裾部４を、これの外側に捲り上げられたインナ裾部６の環状部５の縮径変位により、締付け維持可能に構成する。【選択図】図５
0003103395.tif 000002
【実用新案登録請求の範囲】
【請求項１】
ウェスト部とこれの下方に続く一対の脚通し部とから成るズボンであって、
前記脚通し部の裾近傍の内側に、縮径自在な環状部を下部に有した脚通し自在なインナ裾部を吊設し、捲り上げられた前記脚通し部の裾部を、これの外側に捲り上げられた前記インナ裾部の環状部の縮径変位により、締付け維持可能に構成されているズボン。
【請求項２】
前記環状部が、環状の弾性材によって縮径付勢される状態に構成されている請求項１に記載のズボン。
【請求項３】
前記インナ裾部は、前記脚通し部の裏地の下部を表地に縫合しないことで構成された筒状のものを用いてある請求項１又は２に記載のズボン。
【請求項４】
前記インナ裾部の下端が、前記脚通し部の裾から所定間隔上方に離れた位置に配備されている請求項１〜３のいずれか一項に記載のズボン。
【考案の詳細な説明】
【技術分野】
【０００１】
本考案は、ズボンの脚通し部の裾部を捲り上げた状態に維持できるようにしたズボンに関するものである。
【背景技術】
【０００２】
スラックス、パンタロン、パンツ等のズボンは、ウェスト部とこれの下方に続く一対の脚通し部とから構成されており、両足を別々に包む形で下半身にはく衣服として、男女を問わず広く用いられている。本考案の「ズボン」は、脚通し部の裾が踵付近まで延ばされた長いズボンのことを指す。
【０００３】
ズボンを着用しているときに、例えば、軽作業を行うときや、泥濘路面の歩行時、或いはトイレ使用時といった場合には、地面との接触を回避すべく裾を捲り上げることがある。
即ち、捲り上げは、裾位置を実質的に高くして、裾が地面に接触して汚れることがないようするための行為であるが、通常のズボンでは、単純に捲り上げただけでは、その状態を維持することは難しくすぐにずり落ちてしまい、意に反して裾を汚してしまうことが多かった。或いは、すぐにずり落ちて来ないよう、必要以上に捲り上げるという面倒な操作を行うこともあるが、それでもずり落ちのおそれは残る。
【０００４】
そこで、特許文献１や特許文献２において開示された手段を用いて、裾の捲り上げ状態を維持可能なズボンを作成することが考えられた。即ち、特許文献１のものは、環状とされた締付自在なベルト具であって、そのベルト具を、捲り上げたズボン裾に巻付けることにより、その捲り上げ状態を維持させるという考えである。また、特許文献２のものは、脚通し部の裾（ズボン裾）の内側位置と、その少し上の位置とに面ファスナを設けておき、裾を内側に折り込んだ状態で上下で対をなす面ファスナを貼着作用させ、任意の上下位置で裾上げが行えるという手段である。従って、その面ファスナを脚通し部の内側に設ける手段を用いれば、臨時にズボン裾の位置を高めることが可能になる、という考えである。
【特許文献１】実公昭３１−１８５３０号公報
【特許文献２】実登３００９０９４号公報
【考案の開示】
【考案が解決しようとする課題】
【０００５】
しかしながら、特許文献１に示される考えを用いる手段では、ズボンとは別に計２組のベルト具を常時携帯しなければならず、面倒であるとともに持ち忘れもあることから実用的ではない。また、特許文献２に示される考えを用いる手段では、前述した携帯忘れという不都合は解消され、何時でも裾上げが行える点は良いが、ズボン裾を内側に折り込む操作は大変面倒であり、捲り上げる操作に比べてやり難いものである。加えて、内側に折り込まれて面ファスナで貼着された状態から、面ファスナを剥離させて裾を元の状態に戻す操作は大変行い難く、かつ、煩わしいものであり、やはり実用的ではない。
【０００６】
そこで本考案の目的は、裾部分の構造工夫により、裾の捲り上げ操作、及び元に戻す操作が簡単で便利に行え、しかも捲り上げた状態を確実に維持可能となるよう、改良されたズボンを提供する点にある。
【課題を解決するための手段】
【０００７】
請求項１の構成は、ウェスト部とこれの下方に続く一対の脚通し部とから成るズボンにおいて、
前記脚通し部の裾近傍の内側に、縮径自在な環状部を下部に有した脚通し自在なインナ裾部を吊設し、捲り上げられた前記脚通し部の裾部を、これの外側に捲り上げられた前記インナ裾部の環状部の縮径変位により、締付け維持可能に構成されていることを特徴とする。
【０００８】
請求項２の構成は、請求項１に記載のズボンにおいて、前記環状部が、環状の弾性材によって縮径付勢される状態に構成されていることを特徴とする。
【０００９】
請求項３の構成は、請求項１又は２に記載のズボンにおいて、前記インナ裾部は、前記脚通し部の裏地の下部を表地に縫合しないことで構成された筒状のものを用いてあることを特徴とする。
【００１０】
請求項４の構成は、請求項１〜３のいずれか一項に記載のズボンにおいて、前記インナ裾部の下端が、前記脚通し部の裾から所定間隔上方に離れた位置に配備されていることを特徴とする。
【考案の効果】
【００１１】
請求項１の構成によれば、捲り上げられて裏返された脚通し部の裾部は、それによって露出されるインナ裾部を捲り上げることでインナ裾部の環状部を捲り上げられた裾部に外囲させることができ、その状態で環状部を縮径変位させることにより、捲り上げられた裾部をその状態に維持することが可能になる。つまり、ズボン裾を外側に折り返す操作と、インナ裾部を外側に折り返す操作と、露出されている環状部の縮径操作という、いずれも簡単で、やり易い操作で済むことになり、裾の持ち上げ及び維持が簡単化されるとともに、持ち上げられた裾部のずり落ちも生じないようになる。尚、裾部の捲り上げと、インナ裾部の捲り上げとは、実質上一つの動作で行うことができる簡単な操作である。そして、裾部が捲り上げられている状態において、環状部を拡径操作すれば、インナ裾部及び脚通し部の裾部は、共に重力作用も協働することで簡単に裾部を元の状態に戻すことができる。その結果、裾の捲り上げ操作、及び元に戻す操作が簡単で便利に行え、しかも捲り上げた状態を確実に維持可能となるよう、改良されたズボンを提供することができる。
【００１２】
請求項２の構成によれば、環状の弾性材によって環状部は縮径付勢されているので、インナ裾部を捲り上げる操作を行えば、捲り上げられている裾部を環状部で締め付けて維持する状態が齎されるようになる。つまり、環状部の縮径操作を省略することができ、請求項１の構成による前記効果を、より簡単な操作で得ることができる。
【００１３】
請求項３の構成によれば、脚通し部の裏地の下部を表地に縫合しないことで構成された筒状のものを用いてインナ裾部を形成してあるので、別途に専用の生地等の部材を用いることなく、インナ裾部を構成することが可能になる。これにより、部材の兼用化による合理的なズボン下部の構造が得られるとともに、それによって部材の削減やコストダウンが可能になる。また、インナ裾部は裏地による筒状のものであるから、インナ裾部に足を通し易く、ズボンのはき易さを良好に維持できる利点もある。
【００１４】
請求項４の構成によれば、脚通し部の内側に装備されるインナ裾部の下端が、ズボンとしての裾よりも上方に位置しているので、通常の着用時にはインナ裾部は外から見えないものとなり、ズボンの良好な外観やファッション性を維持できる利点がある。
【考案を実施するための最良の形態】
【００１５】
以下、本考案によるズボンの実施の形態として、女性用パンツ（パンタロン等）の場合について、図面に基づいて説明する。図１、図２は女性用パンツの全体正面図と背面図、図３はインナ裾部の断面図、図４、図５は、裾部の捲り上げ及び係止維持を示す作用図である。図６は、捲り上げられた裾部の別係止維持状態を示す要部の側面図である。
【実施例１】
【００１６】
実施例１による女性用パンツＡは、図１、図２に示すように、ファスナーの引き下げによる開き操作、及び引き上げによる閉じ操作が自在な開閉部３が左横に装備されたウェスト部１と、これの下方に続く左右一対の脚通し部２とから構成されている。ウェスト部１は、その上端部の周囲である胴囲が窄められたシルエットを呈している。
【００１７】
左右の脚通し部２の裾４ａ近傍の内側には、縮径自在な環状部５を下部に有した脚通し自在なインナ裾部６が吊設されており、捲り上げられた脚通し部２の裾部４を、これの外側に捲り上げられたインナ裾部６の環状部５の縮径変位により、締付け維持可能に構成されている（図５参照）。環状部５の下端は、図１や図２に示す自由状態（吊設状態）においては、裾部４の下端縁、即ち裾４ａよりも所定長さ（５〜１０ｃｍ程度、或いはそれ以外でも可）上方に位置する状態に設定されている。尚、インナ裾部６の下端が、裾部４の下端と同じ高さ位置となる構成、或いはインナ裾部６の下端が下方に突出する構成も可能である。
【００１８】
具体的には、インナ裾部６は、図１〜図３に示すように、脚通し部２の裏地７の下端部８を表地に縫合しないことで構成された筒状のものを用いてあり、その下端に、環状の平ゴム（環状の弾性材の一例）９によって縮径付勢される状態に構成された環状部５が形成されている。裏地７は、裏ウェスト部７Ａとこれの下方に続く一対の裏脚通し部７Ｂとを有し、ほぼパンツＡと同形を呈しており、その上端部の周囲と開閉部３の部分とのみが表地に縫合されて支持されている。従って、裏地７はその上端部のみが固定されて吊下げられており、インナ裾部６は裏脚通し部７Ｂの下端部で構成されている。尚、裏地７を、所定の上下長さを有したインナ裾部６を残して、表地に縫合や貼着手段等によって一体化されているものでも良い。
【００１９】
環状部５は、図３に示すように、開放状の裏地の下端を折り返して平ゴム９を内包した状態で裏地に縫合されることによって形成された環状袋部７ａで成り、ズボンとしての通常の状態では足首とふくらはぎとの間に位置して、その脚部分を締め付けない程度で極力径が小さくなるような周長に設定されており、ズボン着用時における足の通し易さと、裾捲り上げ時の良好な裾締付作用とが両立できるように構成されている。
【００２０】
以上の構成により、作業時や用便時等において裾部４を捲り上げる際には、まず、図４に示すように、裾部４を捲り上げ、次いで、それによって露出されるインナ裾部６を捲り上げることにより、平ゴム９によって縮径付勢されている環状部５が捲り上げられた裾部４を外囲して締付けるので、図５に示すように、捲り上げられた状態を係止維持することができ、持ち上げられた裾部４のずり落ちを防止できるのである。尚、便宜上、裾部４を捲り上げる操作（図４）と、インナ裾部６を捲り上げる操作（図５）とが、別々に行われるかのように説明したが、実際には、これら両裾部４，６は手指によって一挙に捲り上げられることとなる。
【００２１】
尚、図５において、Ｌは着用者の脚であり、Ｓは靴である。従って、裾部４が持ち上げられてずり落ち防止状態とされている間に、用便等の所望の行為や作業を良好に行うことができる。また、裾部４の捲り上げの維持状態としては、図６に示すように、捲り上げられた裾部４（図示省略）を、同じく捲り上げられたインナ裾部６の内側に収容してしまうことも可能である。実際には、ズボン裾である裾部４とインナ裾６とは一挙に捲り上げることができるので、裾の捲り上げ及び係止維持のための操作がワンアクションによって簡単で便利に行うことができる。
【００２２】
そして、用が済めば、環状部５を手指でもって拡径操作してインナ裾部６を元に戻すことにより、捲り上げられている裾部４の締付けが開放されるので、自然に垂れ下がり移動して元の状態に容易に戻すことができる。つまり、元に戻す操作も事実上ワンアクションで行えるようになる。裾部６は、図１、図２に示すように、自由状態では脚通し部２の裏側に完全に隠れた状態になっているので、外観に悪影響を与えることがない。次に、インナ裾部６の種々の別構造について述べる。
【００２３】
<１>  図示は省略するが、平ゴム９（図２，３を参照）に代えてゴム紐を環状部５（図３を参照）に内包する構造や、弾性を有さない紐状体を設ける構造でも良い。紐状体を設ける場合には、紐状体の両端部を環状部から外へ出しておき、捲り上げ時に紐開放端どうしを結び付けることにより、環状部を縮径変位させることができる。
【００２４】
<２>  図示は省略するが、前述した紐状体の紐開放端どうしを公知の「長さ調節具」を用いて、環状部５の縮径操作及び拡径操作が任意に行えるようにした構造も可能である。長さ調節具は、例えば、一対の紐通し孔が形成された調節具本体と、それら通し孔を閉じ付勢する操作片とから成り、操作片を押込めば通し孔が開いて紐状体の位置調節が自在となり、閉じ方向にバネ付勢されている操作片の押込みを解除すれば、操作片が紐状体を圧迫してロックする、というものである。
【図面の簡単な説明】
【００２５】
【図１】女性用パンツの正面図
【図２】女性用パンツの背面図
【図３】インナ裾部の断面図
【図４】裾部のみを捲り上げた状態を示す要部の側面図
【図５】インナ裾部を捲り上げた状態を示す要部の側面図
【図６】捲り上げられた裾部の別係止維持態様を示す要部の側面図
【符号の説明】
【００２６】
１            ウェスト部
２            脚通し部
３            開閉部
４            裾部
４ａ          裾
５            環状部
６            インナ裾部
７            裏地
８            裏地の下部
９            環状の弾性材
Ａ            女性用パンツ（ズボン）
【図１】
0003103395.tif 000003
【図２】
0003103395.tif 000004
【図３】
0003103395.tif 000005
【図４】
0003103395.tif 000006
【図５】
0003103395.tif 000007
【図６】
0003103395.tif 000008